(57)【要約】【課題】封印線を挿通した状態で指先によって挟むのみで工具を必要とすることなく簡単に封印が行なえ、その作業性が極めて良好な封印具を提供する。【解決手段】一側面が開口３する合成樹脂製の筒状本体１と該筒状本体１内に挿入される合成樹脂製のキャップ体２とからなり、筒状本体１内とキャップ体２とに互いに遊嵌する遊嵌突状部４，１４を設け、キャップ体２側の遊嵌突状部１４と筒状本体１の内側面とにキャップ体２が抜脱不能に保持される係合手段８ａ，８ｂ，１７を設け、両遊嵌突状部４，１４に筒状本体１内に挿通される封印線２０を逆抜け不能に咬持する咬持手段５，１６を設け、筒状本体１の適宜位置には筒状本体１を無理に破壊する際に容易に破断し得る薄肉部１２を設け、筒状本体１内に挿通される封印線２０を咬持手段５，１６によって封印できるようにした。【選択図】図２
2007117282.tif 000002
【特許請求の範囲】
【請求項１】
一側面が開口する合成樹脂製の筒状本体と該開口を介して該筒状本体内に挿入される合成樹脂製のキャップ体とからなり、
前記筒状本体内と前記キャップ体とに該キャップ体が前記筒状本体内に挿入されたとき互いに遊嵌される遊嵌突状部を設け、前記キャップ体側の遊嵌突状部と前記筒状本体の内側面とに互いに係合して該キャップ体が抜脱不能に保持される係合手段を設け、前記両遊嵌突状部に前記キャップ体が前記筒状本体内に挿入されたとき該筒状本体内に挿通される封印線を逆抜け不能に咬持する咬持手段を設け、前記キャップ体を前記筒状本体内に挿入して該筒状本体内に挿通される封印線を前記咬持手段によって咬持することにより封印できるようにしたことを特徴とする封印具。
【請求項２】
前記係合手段は前記キャップ体側の遊嵌突状部の外側面に設けられる弾性爪片と前記筒状本体の内側面に設けられる第一・第二係止爪とからなり、第一係止爪は前記弾性爪片と係合したとき前記筒状本体内に挿通された前記封印線が自在に挿脱できる位置に設けられ、第二係止爪は前記弾性爪片と係合したとき前記挿通された封印線が逆抜け不能に咬持される位置に設けられている請求項１記載の封印具。
【発明の詳細な説明】
【技術分野】
【０００１】
本発明は、変成器付きの積算電力量計等の配電機器、スロットマシン等の遊技機、タクシ−メ−タ−などにおける開閉部または各種袋の口部の封印を行なう封印具に関するものである。
【背景技術】
【０００２】
従来、例えば、本出願人の発明したものであって、積算電力量計の開閉部である端子部の封印を封印線を使って行なうようにした封印具がある。この封印具は、その内部に上面で開口する有底縦孔が成形された半硬質合成樹脂製の本体と前記開口を介して有底縦孔内にきつく挿入される小さい鍵体とからなり、前記本体にはその側壁に前記有底縦孔と連通する横孔が貫設されている。そして、あらかじめ横孔に掛からないようにして鍵体を有底縦孔内に挿入しておき、現場では、本体の両側から各横孔に封印線の両端部をそれぞれ挿通し互いに重なる状態で、工具により前記鍵体を更に押し込み有底縦孔の内壁と鍵体との間で封印線を逆抜け不能に挟むようにしている（例えば、特許文献１参照。）。
【特許文献１】実公昭５４−４４０７９号公報（第１−２頁、図６乃至図８）
【発明の開示】
【発明が解決しようとする課題】
【０００３】
しかしながら、前記特許文献１の封印具では、有底縦孔へ一旦挿入された小さい鍵体はその両面を有底縦孔の内壁面によって強く挟み込まれており、該鍵体をそれ以上深く挿入するには非常に大きな力を必要とする。通常、作業者の指では到底不可能であって、工具を用いて鍵体を押し込むようにしている。このため、その封印作業に面倒な手間を要し時間も掛かり作業性が悪いという課題があった。また、仮に工具を現場へ持ち運ぶことを忘れると作業を進めることができないという致命的な課題も有る。
【０００４】
そこで、本発明は上記課題を解決すべくなされたもので、封印線を挿通した状態で指先によって挟むのみで工具を必要とすることなく簡単に封印が行なえ、その作業性が極めて良好な封印具を提供することを目的とするものである。
【課題を解決するための手段】
【０００５】
かかる目的を達成するため本発明に係る封印具は、一側面が開口する合成樹脂製の筒状本体と該開口を介して該筒状本体内に挿入される合成樹脂製のキャップ体とからなり、前記筒状本体内と前記キャップ体とに該キャップ体が前記筒状本体内に挿入されたとき互いに遊嵌される遊嵌突状部を設け、前記キャップ体側の遊嵌突状部と前記筒状本体の内側面とに互いに係合して該キャップ体が抜脱不能に保持される係合手段を設け、前記両遊嵌突状部に前記キャップ体が前記筒状本体内に挿入されたとき該筒状本体内に挿通される封印線を逆抜け不能に咬持する咬持手段を設け、前記キャップ体を前記筒状本体内に挿入して該筒状本体内に挿通される封印線を前記咬持手段によって咬持することにより封印できるようにした構成からなる。
【０００６】
この際、例えば前記係合手段は、前記キャップ体側の遊嵌突状部の外側面に設けられる弾性爪片と前記筒状本体の内側面に設けられる第一・第二係止爪とからなり、第一係止爪は前記弾性爪片と係合したとき前記筒状本体内に挿通された前記封印線が自在に挿脱できる位置に設けられ、第二係止爪は前記弾性爪片と係合したとき前記挿通された封印線が逆抜け不能に咬持される位置に設けられる構成を採ることが好ましい。
【発明の効果】
【０００７】
本発明に係る封印具は、筒状本体内とキャップ体とに該キャップ体が筒状本体内に挿入されたとき互いに遊嵌される遊嵌突状部を設け、キャップ体側の遊嵌突状部と筒状本体の内側面とに互いに係合して該キャップ体が抜脱不能に保持される係合手段を設け、両遊嵌突状部にキャップ体が筒状本体内に挿入されたとき該筒状本体内に挿通される封印線を逆抜け不能に咬持する咬持手段を設けるようにしたので、筒状本体内に封印線を挿通した状態でキャップ体を筒状本体内へ軽く押し込むのみでキャップ体が抜脱不能に保持されかつ封印線が逆抜け不能に咬持される。よって、工具を使用する必要もなく作業者が指先で挟むのみで簡単に封印作業が行なえ作業性が極めて良好となるという有益な効果を奏する。また、仮に工具を現場へ持ち運ぶことを忘れても作業を進めるに支障はないという効果も有る。
【０００８】
また、例えば前記係合手段を、前記キャップ体側の遊嵌突状部の外側面に設けられる弾性爪片と前記筒状本体の内側面に設けられる第一・第二係止爪とから構成し、第一係止爪を前記弾性爪片と係合したとき前記筒状本体内に挿通された前記封印線が自在に挿脱できる位置に設け、第二係止爪を前記弾性爪片と係合したとき前記挿通された封印線が逆抜け不能に咬持される位置に設けるようにすれば、筒状本体とキャップ体とを常にセットとして扱うことができる。よって、筒状本体又はキャップ体のみを失うといったことがなく、しかも、現場にあって封印線を挿通した後はキャップ体が筒状本体内に仮止めしてあるので、そのままキャップ体を指先で押し込むのみで封印でき、取り扱い上便利であるという効果がある。
【発明を実施するための最良の形態】
【０００９】
以下、本発明に係る封印具の実施の形態を図面に基づき説明する。図１は本発明に係る封印具の斜視図、図２は同封印具の分解斜視図、図３は図１のＸ−Ｘ線断面図、図４は図１のＹ−Ｙ線断面図をそれぞれ示す。なお、本実施の形態では、変成器付きの積算電力量計に設けられる封印具について説明するが、本発明に係る封印具は、前記積算電力量計以外に他の配電機器、スロットマシン等の遊技機、タクシ−メ−タ−などにおける開閉部、更には家畜飼料用袋の口部など封印を必要とする総てのものであって、封印線により封印する個所に適用される。本発明に係る封印具Ａは、合成樹脂材（例えば、ＡＢＳ樹脂（黒））によって成形され、筒状本体１と該筒状本体１内に挿入されるキャップ体２とから構成される。
【００１０】
筒状本体１は、例えば縦１４．５ｍｍ、横１２．６ｍｍ、幅７．４ｍｍの略直方体形状をなし、その一側面（上面）が開口３している。また、前記開口３と対向する奥端面（底面）の中央に該底面に対し直角に立設する角柱状の遊嵌突状部４が設けられる。該遊嵌突状部４は、所定の高さを有し、キャップ体２を筒状本体１内に挿入したとき該キャップ体２側に設けられた後記する筒状の遊嵌突状部１４が遊嵌するようになっている。また、筒状本体１側の遊嵌突状部４は、先端部側に咬持手段として所定深さの切欠凹部５が設けられ、該切欠凹部５の下端縁部は、図４に示すように先端に向かうに従い厚みが漸次薄くなるように成形されている。
【００１１】
筒状本体１の周側壁６であって前記切欠凹部５と対向する両側壁部６ａ，６ａに、それぞれ該切欠凹部５の位置にほぼ合致するようにして遊嵌突状部４に沿った方向に長い長孔７が開設される。これら長孔７，７は後記する封印線２０が２本挿通できる大きさを有する。また、各長孔７が開設された側壁部６ａ，６ａ間の各側壁部６ｂの内面にそれぞれ対向位置し係合手段として２組の第一係止爪８ａ，８ａと第二係止爪８ｂ，８ｂとが配置されている。各係止爪８ａ，８ｂは、前記遊嵌突状部４に沿った方向で奥端部側が第二係止爪８ｂ，８ｂとなるように並んでおり、その内側面９が筒状本体１の開口３側に進むに従い外側へ傾くように傾斜しかつ奥端部には段差部１０が設けられる。
【００１２】
更に、前記筒状本体１の周側壁６における開口３に近づけてその内周面に環状段受部１１が周設されている。これは、前記キャップ体２を筒状本体１内に挿入させたとき、そのキャップ部１３の内面１３ａが当接してキャップ体２が停止することになる。そして、キャップ部１３は前記開口３の内側に納まるようになっている。また、前記周側壁６は、前記環状段受部１１より開口３側が薄く、逆に奥端部側がそれより厚くなっている。長孔７が開設される両側壁部６ａ，６ａの内面には、その中央部に奥端面と環状段受部１１との間に亘り長孔７を含めて凹部１２が設けられている。これは、封印した状態で後記する封印線２０，２０を封印具Ａ内で逃して封印し易いようにするためである。
【００１３】
一方、キャップ体２は、基端部に前記筒状本体１の開口３に丁度嵌り込む大きさの平板状のキャップ部１３を有し、その内面１３ａに該内面１３ａに対し直角に突設する遊嵌突状部１４が設けられる。該遊嵌突状部１４は先端が開放する角筒状に成形され、キャップ体２を前記筒状本体１内に挿入したとき両遊嵌突状部４，１４が互いに遊嵌することになる。
【００１４】
前記キャップ体２側の遊嵌突状部１４にあっては、その周側壁１５の内、前記筒状本体１の両長孔７，７に対応する側壁部１５ａ，１５ａに対向位置しかつ透視して合致する咬持手段としての所定深さのＶ溝１６，１６が設けられる。各Ｖ溝１６は、遊嵌突状部１４の先端で開放され基端側で鋭角に窄まっている。また、各Ｖ溝１６が開設された側壁部１５ａ，１５ａ間の各側壁部１５ｂ，１５ｂの先端にそれぞれ係合手段としての同じ形状の弾性突片１７，１７が一体に突設されている。各弾性突片１７は共に遊嵌突状部１４の先端から基端側へ進むに従い漸次外側へ傾くように設けられており、キャップ体２を両弾性突片１７，１７を下にして見た場合、両弾性突片１７，１７が逆ハの字状をなすことになる。両弾性突片１７，１７間の寸法は前記筒状本体１における両側壁部６ｂ，６ｂの第一・第二係止爪８ａ，８ｂ間の寸法にほぼ等しくなっている。
【００１５】
そして、前記キャップ体２を筒状本体１内に開口３を介して挿入し両弾性突片１７，１７を第一係止爪８ａ，８ａの内側面９，９に這わせつつその段差部１０，１０に係合させる。この状態では、キャップ部１３が開口３よりも浮き上がった位置でキャップ体２が停止ししかも両Ｖ溝１６，１６が切欠凹部５及び両長孔７，７に合致し、切欠凹部５と両長孔７，７が連通する仮止め状態にある。このとき両長孔７，７を介して筒状本体１内に封印線２０が自由に挿通できることとなり、通常はこの状態で現場まで運ばれる。
【００１６】
前記キャップ体２を更に筒状本体１内に押し込むと、両弾性突片１７，１７が両第二係止片８ｂ，８ｂの内側面９，９を滑ってその段差部１０，１０に係合する。この状態では、キャップ部１３が開口３を塞ぎしかもキャップ体２の両Ｖ溝１６，１６の奥端部が遊嵌突状部４における切欠凹部５の下端部すなわち投影して両長孔７，７の下端部に達する。両弾性突片１７，１７が第一・第二係止爪８ａ，８ｂに係合しているときは、いずれもキャップ体２が抜脱不能に保持されることになる。
【００１７】
次に、本発明に係る封印具Ａと一緒に使用される封印線２０について説明する。該封印線２０は、図５に一部拡大して示すように例えばフロロカ−ボン樹脂製からなる屈撓性に富んだ芯線２１の外周面に銅製の細い金属丸線２２を適宜間隔を隔てて捩りかつ螺旋状に巻回して成形されている。この封印線２０であるフロロカ−ボン樹脂製の芯線２１は紫外線に強く耐侯性に優れており、また断面丸形状をしていることから、はさみで切断してもその切断面が綺麗に切断される。よって、後記する封印ねじ１０４の挿通孔１０６や後記する引起し孔１０７にも挿通し易い。
【００１８】
本発明に係る封印具Ａは上記構成からなり、該封印具Ａが適用される変成器付きの積算電力量計１００について説明する。図９は本発明に係る封印具の使用状態を示す積算電力量計の斜視図である。該積算電力量計１００は、例えば大きい電力を使用する工場の外壁に取り付けられ、ケ−シング本体１０１の下部に端子ボックス１０２が一体に設けられている。この端子ボックス１０２は、前面が開放されると共にその前面に蓋体１０３が開閉自在に被着され、その両側に蓋体１０３を被着した状態で固定する封印ねじ１０４，１０４が螺締めされる。該各封印ねじ１０４の頭部１０５は蓋体１０３の外側に露出しており、また、この頭部１０５に封印線２０を挿通する挿通孔１０６が貫設されている。また、蓋体１０３前面であって封印ねじ１０４の近傍に、蓋体１０３の一部をプレスで引き起して成形した引起し孔１０７が設けられている。
【００１９】
そこで、まず図６に示すように所定の長さに切断された封印線２０を封印ねじ１０４の頭部１０５の挿通孔１０６に挿通すると共にその近傍の引起し孔１０７にも挿通する。そして、その封印線２０の両端部を重ねると共にその二本の両端部を図７に示すように前記キャップ体２を仮止とした封印具Ａにおける筒状本体１の一方の長孔７から他方の長孔７まで前記２本の封印線２０，２０を挿通する。
【００２０】
この状態でキャップ部１３の上面と筒状本体１の底面とを指先で摘んで挟み、図８に示すようにキャップ体２を筒状本体１内に押し込む。これにより、図１０、図１１に示すようにキャップ部１３の内面１３ａが環状段受部１１に当接すると共にキャップ体２の両弾性突片１７，１７が両第二係止爪８ｂ，８ｂの段差部１０，１０に係合し、キャップ体２が筒状本体１内に抜脱不能に挿入される。また、キャップ体２側の遊嵌突状部１４が筒状本体１側の遊嵌突状部４に深く嵌り込む。この状態では、キャップ体２側の遊嵌突状部１４の両Ｖ溝１６，１６の奥端部が筒状本体１側の遊嵌突状部４の切欠凹部５の下端部の位置に達し、前記２本の封印線２０，２０を側面Ｗの字状に屈曲させる。これにより、２本の封印線２０，２０がしっかりと噛み合わされ逆抜け不能に保持される。なお、２本の封印線２０，２０の先端部は、他方の長孔７から引き出された側を該長孔７から１ｃｍ程度残して切断しておく。
【００２１】
このようにして図９に示すように封印が完了する。この状態で、前記封印線２０を封印具Ａから引き抜こうとしても不可能である。また、封印具Ａを封印線２０から外そうとしてキャップ体２を筒状本体１から抜くこともできない。この場合、封印具Ａの周側壁６のいずれかに薄肉部（図示せず。）を設け、仮に、前記封印線２０を強引に引き抜こうとした場合、前記いずれかの薄肉部から封印具Ａが破断するようにしても良い。このようにすれば、不正行為が行なわれたことがつぶさに解る。
【００２２】
本発明では、積算電力量計１００の端子ボックス１０２側の封印について説明したが、ケ−シング本体１０１側についても同様にして封印できる。封印具Ａの点検・交換のため、その封印具Ａを撤去するときは、ペンチ（図示せず。）で封印線２０を切断し、また新しい封印線２０と封印具Ａを使用して前記と同じ方法で封印をする。
【００２３】
なお、封印線２０は、本実施の形態に係る封印線２０に限られるものではなく、外周面に金属丸線２２のような突条が設けられたものであれば、他の構造のものでも良い。また、前記第一係止爪８ａ，８ａは設けなくても良いが、できれば有ると至便である。
【００２４】
以上のように、本発明の封印具Ａは、筒状本体１内とキャップ体２とに該キャップ体２が筒状本体１内に挿入されたとき互いに遊嵌される遊嵌突状部４，１４を設け、キャップ体２側の遊嵌突状部１４と筒状本体１の内側面とに互いに係合して該キャップ体２が抜脱不能に保持される係合手段８ａ，８ｂを設け、両遊嵌突状部４，１４にキャップ体２が筒状本体１内に挿入されたとき該筒状本体１内に挿通される封印線２０を逆抜け不能に咬持する咬持手段５，１６を設けるようにしたので、筒状本体１内に封印線２０を挿通した状態でキャップ体２を筒状本体１内へ軽く押し込むのみでキャップ体２が抜脱不能に保持されかつ封印線が逆抜け不能に咬持される。よって、工具を使用する必要もなく作業者が指先で挟むのみで簡単に封印作業が行なえ作業性が極めて良好となる。
【図面の簡単な説明】
【００２５】
【図１】本発明に係る封印具の斜視図。
【図２】同封印具の分解斜視図。
【図３】図１のＸ−Ｘ線断面図。
【図４】図１のＹ−Ｙ線断面図。
【図５】封印線の一部の拡大斜視図。
【図６】本発明に係る封印具の取付手順を示す斜視図。
【図７】本発明に係る封印具の取付手順を示す斜視図。
【図８】本発明に係る封印具の取付手順を示す斜視図。
【図９】同封印具の使用状態を示す積算電力量計の斜視図。
【図１０】同封印具の中央横断面図。
【図１１】同封印具の中央縦断面図。
【符号の説明】
【００２６】
１              筒状本体
２              キャップ体
３              開口
４              遊嵌突状部
５              咬持手段（切欠凹部）
８ａ            係合手段（第一係止爪）
８ｂ            係合手段（第二係止爪）
１２            薄肉部
１４            遊嵌突状部
１６            咬持手段（Ｖ溝）
１７            係合手段（弾性突片）
２０            封印線
Ａ              封印具
【図１】
2007117282.tif 000003
【図２】
2007117282.tif 000004
【図３】
2007117282.tif 000005
【図４】
2007117282.tif 000006
【図５】
2007117282.tif 000007
【図６】
2007117282.tif 000008
【図７】
2007117282.tif 000009
【図８】
2007117282.tif 000010
【図９】
2007117282.tif 000011
【図１０】
2007117282.tif 000012
【図１１】
2007117282.tif 000013